(57)【要約】【課題】ネジゆるみ等による故障がなく耐久性に優れるエアバルブを提供する。【解決手段】  ピストン２のピストンヘッド２１及びピストンロッド２２が、それぞれシリンダ１の開口部内及び軸孔内に収容されて、ピストン２が、シリンダ１の軸孔１０内に往動可能に組み込まれる。シリンダ１及びピストンロッド２２には、側方へ一軸横断する貫通孔１３，２３が形成され、貫通孔１３，２３内にノックピン３が挿入される。貫通孔１３，２３の少なくとも一部分は長孔断面を有し、ピストン２がシリンダ１内を往動したとき、ノックピン３が貫通孔の一部分内で長孔方向へ相対移動する。【選択図】図２
2018179071.tif 000002
【特許請求の範囲】
【請求項１】
所定の軸孔方向の軸孔、及び、前記軸孔の一端側に連通すると共に拡径した開口部を有するシリンダと、前記開口部の開口形状に対応したピストンヘッド、及び、前記ピストンヘッドの下部から伸長したピストンロッドを有するピストンと、を具備し、
前記ピストンヘッド及び前記ピストンロッドが、それぞれ前記開口部内及び前記軸孔内に収容されて、前記ピストンが、シリンダの軸孔方向へ往動可能に組み込まれたエアバルブであって、
前記シリンダ及び前記ピストンロッドには、前記シリンダの軸孔内に組み込まれた前記ピストンロッドを前記シリンダと共に側方へ横断する貫通孔が形成され、
また、前記貫通孔内に挿入されるノックピンをさらに具備してなり、
前記貫通孔の少なくとも一部分は前記軸孔の軸孔方向を長孔方向とする長孔断面を有し、
前記ピストンが前記シリンダ内を往動したとき、前記ノックピンが貫通孔の前記一部分内で前記長孔方向へ相対移動することを特徴とするエアバルブ。
【請求項２】
前記貫通孔は、ピストンロッドを貫通する内貫通孔と、シリンダを側方へ横断貫通する外貫通孔とから構成され、
前記内貫通孔はノックピンに周着する孔断面を有してなり、また、前記外貫通孔はノックピンを遊挿する長孔断面を有してなり、
前記ピストンが前記シリンダ内を往動したとき、前記内貫通孔に周着されたノックピンがピストンロッドと共に軸孔方向へ往動することで、ノックピンの両端が外貫通孔内を長孔方向へ相対移動する、請求項１記載のエアバルブ。
【請求項３】
前記シリンダの内部であって、前記ピストンヘッドの下部と前記ノックピンの上側部との間に、前記ピストンを前記軸孔方向へ弾性付勢する弾性材をさらに具備し、
前記ピストンは前記弾性材の弾性付勢によって前記シリンダ内に収容された収容状態となり、
この収容状態において、前記ピストンヘッドが開口部内に嵌着して、前記ピストンヘッドの端面が前記シリンダの片端面と同一面を構成する、請求項２記載のエアバルブ。
【請求項４】
前記シリンダ内部であって前記軸孔の上部付近には、前記ピストンロッドを挿通し得る中央孔を有した固定板が固定され、
また、前記シリンダ内部であって前記固定板の下方には、前記ピストンロッドを挿通し得る中央孔を有したワッシャが前記軸孔方向へ移動可能に収容され、
前記ピストンロッドが前記固定板の中央孔と前記ワッシャの中央孔のそれぞれに挿入されて、前記ピストンが前記シリンダ内に組み込まれ、
この組み込まれた状態で、前記固定板と前記ワッシャによって前記弾性材を前記軸孔内に挟設すると共に、前記弾性材によってピストンロッドを軸孔方向に弾性付勢してなる、請求項３記載のエアバルブ。
【請求項５】
前記固定板は開口部の底板を構成するものであり、
前記固定板の中央孔の周囲には、固定板を厚さ方向に貫通する一または複数の通気孔が設けられ、
また、前記ワッシャの中央孔の周囲には、前記ワッシャを厚さ方向に貫通する一または複数の通気孔が設けられる、請求項４記載のエアバルブ。
【請求項６】
前記シリンダの周囲の一部には多角形柱の部分側面からなる嵌合部が形成される、請求項１ないし５のいずれか記載のエアバルブ。
【請求項７】
前記ノックピンは交換可能に設けられる、請求項１ないし６のいずれか記載のエアバルブ。
【発明の詳細な説明】
【技術分野】
【０００１】
本発明は、合成樹脂の射出成型用金型から射出成型後の成型樹脂製品を分離させる際に用いられるエアバルブに関する。
【背景技術】
【０００２】
合成樹脂材の射出成型を行う場合、射出成型後の成形器（成型樹脂製品）が金型に抱きついたまま密着していることから、型開閉する一方の型に押出ピンを設け、該ピンにより成形器を押し出し剥離させるとともに、該ピンを備える金型成形面にエア噴出口を設け、該噴出口からエアを成型機の被剥離面に噴出供給する押出方法がとられている（例えば、特許文献１参照）。
【０００３】
上記押出方法を行う装置部品として従来、図１０に示す構造のエアバルブが開示されている。このエアバルブは、筒孔を有した円筒型のシリンダチューブ１００´内にピストンロッド２´が突出可能に収容され、ピストンロッド２´の収容端に座金５´を介して抜け止め用のボルト９´が螺子止めされてなる（図１０）。前記シリンダチューブ１００´の筒孔内にはスプリング４´が座金５´と共に組み込まれ、スプリング４´によってピストンロッド２´が下方に常時弾性付勢されている（図１０（ａ））。このエアバルブは金型に埋め込み固定された状態で、ピストンロッド２´上部のヘッド部が成型樹脂製品Ｆ´の成型表面側に露出し、周囲の金型７´表面と同一面を構成する。なおピストンロッド２´は、回り止めピン１４０´によって軸周りの回転が抑制されている。
【０００４】
エアバルブの作動時には、図１０（ｂ）に示すように、シリンダチューブ１００´の下方から圧搾空気を吹き込んで、ピストンロッド２´を上方に押し出した突出状態とする。この突出状態では、ピストンロッド２´のヘッド部が金型７´の成型面よりも上方へ押し出されて、吹き込まれた圧搾空気が金型の表面側へ噴出される。これにより、成型樹脂製品Ｆ´と金型７´との間に遊離空間７０１´が形成されて、成型樹脂製品Ｆ´が金型７´から遊離する。かかる作動の直後、ピストンロッド２´はスプリング４´の弾性復帰力によって図１０（ａ）に示す収容状態に自動復帰する。
【先行技術文献】
【特許文献】
【０００５】
【特許文献１】公開実用昭和６３−３４２０号公報
【発明の開示】
【発明が解決しようとする課題】
【０００６】
しかしながら、図１０に記載のエアバルブは、ピストンロッドの下端のねじ込み穴から抜け止め用のボルト９´をねじ込んでなるところ、当該ピストンロッドは、作動の度に座金５´の衝突衝撃を受け（図１０ｂ）、また、弾性復帰によりシリンダチューブ１００´との衝突衝撃を受ける（図１０ａ）。このため、繰り返しの作動によって抜け止め用のボルト９´のネジゆるみが生じる虞がある。かかるネジゆるみは、バルブの埋め込み状態での確認が困難であるにもかかわらず、ピストンロッドの外れ故障や、作動不良に基づく金型装置の破損といった大型事故の原因になる。すなわち前記エアバルブはネジゆるみによる故障のおそれから頻繁な内部メンテナンスが必要とされ、耐久性に優れるとは言えなかった。
【０００７】
また、従来の他のエアバルブの構造として、図１０のボルト９´の代わりに、ピストンロッドの下端にかしめ用の小型のリベットを突出させ、座金５´の下部で当該リベットをかしめ変形させた抜け止め構造が考えられる。しかし、このようなかしめ変形による抜け止め構造は、バルブの繰り返しの作動によって衝突衝撃を受けたリベットのかしめ部が再変形してしまう可能性がある。このかしめ部の再変形も、バルブの埋め込み状態での確認が困難であるため、ピストンロッドの外れ故障や、動作不良に基づく金型装置の破損といった大型事故の原因になる。すなわち、他のエアバルブの構造もまた、かしめ部の再変形による故障のおそれから頻繁な内部メンテナンスが必要とされ、耐久性に優れるとは言えなかった。
【０００８】
そこで本発明は、ネジゆるみや部品の変形による故障がなく耐久性に優れるエアバルブを提供することを目的とする。
【課題を解決するための手段】
【０００９】
上記課題を解決すべく、本発明では以下の手段を講じている。なお、以下において構成名称又は状態名称の後ろに括弧付きで示す数字列、または数字及びアルファベットの組み合わせ列は、相当する各図面の構成箇所を示した参照用符号である。同参照用符号は実施例の理解のために便宜的に付したものであり、これによって構成ないし状態を限定したり特定したりするものではない。
【００１０】
本発明に係るエアバルブ（１００）は、所定の軸孔方向の軸孔（１０）、及び、前記軸孔（１０）の一端側に連通すると共に拡径した開口部（１１０）を有するシリンダ（１）と、前記開口部（１１０）の開口形状に対応したピストンヘッド（２１）、及び、前記ピストンヘッド（２１）の下部から伸長したピストンロッド（２２）を有するピストン（２）と、を具備し、前記ピストンヘッド（２１）及び前記ピストンロッド（２２）が、それぞれ前記開口部（１１０）内及び前記軸孔（１０）内に収容されて、前記ピストン（２）が、シリンダ（１）の軸孔方向へ往動可能に組み込まれたエアバルブであって、前記シリンダ（１）及び前記ピストンロッド（２２）には、前記シリンダ（１）の軸孔（１０）内に組み込まれた前記ピストンロッド（２２）を前記シリンダ（１）と共に側方へ一軸横断する貫通孔が形成され、また、前記貫通孔（１３，２３）内に挿入されるノックピン（３）をさらに具備してなり、前記貫通孔（１３，２３）の少なくとも一部分は前記軸孔（１０）の軸孔方向を長孔方向とする長孔断面を有し、前記ピストン（２）が前記シリンダ（１）内を往動したとき、前記ノックピン（３）が貫通孔（１３，２３）の前記一部分内で前記長孔方向へ相対移動することを特徴とする。
【００１１】
上記の構成によれば、ノックピン（３）が長孔断面内を長孔方向へ相対移動することで、ピストン（２）の往動方向が規制されると共に、ピストン（２）がシリンダ（１）から抜けるのを防止する抜け止めの機能を果たす（例えば図２の（ａ）（ｂ）、ないし図５の（ａ）（ｂ）の各状態参照）。また、ノックピン（３）の側方挿入によって閂式の抜け止め構造をなすため、耐久性に優れる（例えば図１のノックピン（３）の挿入方向参照）。特に本発明の上記構成は、前記従来のエアバルブのような、抜け止め用のボルトをねじ込む構造（図１０参照）と比較して、繰り返し動作後のネジゆるみ等で事故が発生する可能性を抑制されるといった利点を有する。すなわち上記本発明の構造は正常作動の信頼性があり、頻繁な内部メンテナンスが不要となる。
【００１２】
貫通孔は具体的には、ピストンロッド（２２）の下端近傍を横断貫通する内貫通孔（２３）と、前記内貫通孔（２３）の両端に位置してシリンダ（１）の筒側部を横断貫通する外貫通孔（１３）と、から構成され、シリンダ（１）を側方貫通する孔経路で一軸上に配置される（例えば図５の各図面参照）。また、内貫通孔（２３）と、外貫通孔（１３）のうち少なくともいずれか一方が、ノックピン（３）のピン径（Ｄ３）よりも大きい長孔幅（長孔の長手方向の孔幅、例えば図１の外貫通孔（１３）の縦方向の孔幅を言う。）の長孔断面を有する。
【００１３】
また、本発明に係るエアバルブ（１００）において、前記貫通孔は、ピストンロッド（２２）を側方へ横断貫通する内貫通孔（２３）と、シリンダ（１）を側方へ横断貫通する外貫通孔（１３）とから構成され、
前記内貫通孔（２３）はノックピン（３）に周着する孔断面を有してなり、また、前記外貫通孔はノックピン（３）を遊挿する長孔断面を有してなり、
前記ピストン（２）が前記シリンダ（１）内を往動したとき、前記内貫通孔（２３）に周着されたノックピン（３）がピストンロッド（２２）と共に軸孔方向へ一体的に往動し、これによってノックピン（３）の両端が外貫通孔（１３）内を長孔方向へ相対移動することが好ましい。
【００１４】
例えば図１のように、ノックピン（３）がピストンロッド（２２）の内貫通孔（２３）内に周着されてピストン（２）と一体的に構成することで、エアバルブが比較的簡易な構造となり、より優れた耐久性を得ることができる。また、ピストン（２）と共にノックピン（３）が往動したときに、ノックピン（３）の両端が長孔断面の外貫通孔（１３）内を長孔方向へ遊動することで、ノックピン（３）の遊動範囲をピン両端部で確実に規制することができる（例えば図２、図５）。
【００１５】
なお後述の実施例では、ピストンロッド（２２）がシリンダ（１）内を突出移動したときに、長孔の長孔幅内を相対移動したノックピン（３）が一方の長孔端に掛止する。このノックピン（３）の掛止によって、ピストンロッド（２２）のそれ以上の移動が確実に規制される（図２（ｂ）、図５（ｂ））。
【００１６】
また、本発明に係るエアバルブ（１００）においては、前記シリンダ（１）の内部であって、前記ピストンヘッド（２１）の下部と前記ノックピン（３）の上側部との間に、前記ピストン（２）を前記軸孔方向下方（他端側）へ弾性付勢する弾性材（４）をさらに具備し、前記ピストン（２）は前記弾性材（４）の弾性付勢によって前記シリンダ（１）内に収容された収容状態となり、
この収容状態において、前記ピストンヘッド（２１）が開口部（１１０）内に嵌着して、前記ピストンヘッド（２１）の上端面が前記シリンダ（１）の筒体の上端面（一端側の端面）と同一面を構成することが好ましい。
【００１７】
上記の構成によれば、弾性材（４）によって、シリンダ（１）内に組み込まれた状態のピストン（２）が常時下方向へ弾性付勢され、収容状態（Ｓ１）を保持する（例えば、図２（ａ）、図５（ａ）の状態）。この収容状態（Ｓ１）において、シリンダ（１）の上端面とピストンヘッド（２１）の上端面とが、突出部や窪み部を有さない、いわゆる同一面（ツライチ）を構成し、金型面と一様の成型面をなす（例えば図２（ａ）、図５（ａ）の上部参照）。なお、これらシリンダ（１）の上端面とピストンヘッド（２１）の上端面それぞれに、成型金型の金型面と一様の面処理を施すことで、エアバルブとの接触部分における成型樹脂製品の違和感を抑制することができる。
【００１８】
動作時には、この弾性付勢力よりも大きい力でピストン（２）が加圧されて、弾性付勢方向と逆方向へピストンヘッド（２１）が押し出された突出状態（Ｓ２）となる（例えば、図２（ｂ）、図５（ｂ）の状態）。合成樹脂のインジェクション成型後には、一組の成形金型の一方を離形させると共に、当該一方の成形金型に予め埋め込まれた一方のエアバルブ（１００）を、圧搾空気の吹き込みによって収容状態（Ｓ１）から突出状態（Ｓ２）に状態遷移させることで、密着している成型後の合成樹脂材（成形製品）が当該一方の金型から遊離する（例えば図７参照）。また、一方の成形金型を離形した後には、残る他方の成形金型に予め埋め込まれた他方のエアバルブ（１００）を、圧搾空気の吹き込みによって収容状態（Ｓ１）から突出状態（Ｓ２）に状態遷移させることで、密着している成型後の成型樹脂製品が当該他方の金型から遊離する（例えば図９参照）。
【００１９】
また、本発明に係るエアバルブ（１００）において、前記シリンダ（１）内部であって前記軸孔（１０）の上部付近には、前記ピストンロッド（２２）を挿通し得る中央孔（１１２）を有した固定板（１１）が固定され、また、前記シリンダ（１）内部であって前記固定板（１１）の下方には、前記ピストンロッド（２２）を挿通し得る中央孔（５０）を有したワッシャ（５）が前記軸孔方向へ移動可能に収容され、前記ピストンロッド（２２）が前記固定板（１１）の中央孔（１１２）と前記ワッシャ（５）の中央孔（５０）のそれぞれに挿入されて、前記ピストン（２）が前記シリンダ（１）内に組み込まれ、この組み込まれた状態で、前記固定板（１１）と前記ワッシャ（５）によって前記弾性材（４）を前記軸孔（１０）内に挟設すると共に、前記弾性材（４）によってピストンロッド（２）を軸孔方向下方に弾性付勢してなることが好ましい。
【００２０】
上記の構成によれば、組み込み状態では、固定板（１１）及びワッシャ（５）が、それぞれ弾性材（４）の上端及び下端に当接する。このとき、ワッシャ（５）は下方へ常時弾性付勢された状態であり、かつ、ノックピン（３）の上側面に接触した状態となっている（例えば、図２（ａ）、図５（ａ）の状態）。なお、実施例の弾性材（４）は軸孔（１０）内に収容可能なコイルスプリングからなり、軸孔（１０）内において、ピストンロッド（２２）の周囲に遊装されると共に軸孔（１０）の軸方向に弾性圧縮された状態で、固定板（１１）とワッシャ（５）とに挟設されて組み込まれる。
【００２１】
なおさらに言えば、弾性材（４）がワッシャ（５）の上面側に配置されてワッシャ（５）を軸方向下方へ常時弾性付勢し、ワッシャ（５）が前記ノックピン（３）の側上部に接して配置されることが好ましい。この場合、下方へ弾性付勢されたワッシャ（５）の下面がノックピン（３）の上側面に接してノックピン（３）を下方へ押圧付勢した収容状態となり、収容状態においてノックピン（３）は下方へ押圧付勢されたまま、長孔断面内の下方寄りに位置する。
【００２２】
本発明に係るエアバルブ（１００）において、前記固定板（１１）は開口部（１１０）の底板を構成するものであり、前記固定板（１１）の中央孔（１１２）の周囲には、固定板（１１）を厚さ方向に貫通する一または複数の通気孔（１１Ｄ）が設けられ、また、前記ワッシャ（５）の中央孔（５０）の周囲には、前記ワッシャ（５）を厚さ方向に貫通する一または複数の通気孔（５１）が設けられることが好ましい。
【００２３】
上記の構成によれば、組み込まれたワッシャ（５）の複数の通気孔（５１）と、シリンダ（１）の複数の通気孔（１１Ｄ）とによって圧搾空気の流通断面が確保され、シリンダヘッド（２１）の周囲から噴出させる圧搾空気の必要流量を確保することができる。特に、弾性材（４）をコイルばねからなるものとした場合は、シリンダ（１）内の圧搾空気が弾性材（４）の部分を流通する際にも圧搾空気の流通断面がより確実に確保される。
なお、後述の実施例では、ワッシャ（５）には、図３（ｂ）に示すように、４つの通気孔（５１）が中央孔（５０）の周囲に等間隔に設けられると共に、シリンダ（１）の上部開口（１１０）の底部を構成する固定板（１１）には、図４（ａ）及び図３（ａ）に示すように、通気孔（５１）と同数の４つの通気孔（１１Ｄ）が、中央孔（１１２）の周囲に等間隔に設けられる。
【００２４】
またさらに、後述の実施例の４つの通気孔（１１Ｄ）はそれぞれ、固定板（１１）の厚さ方向上下で、互いに大きさ及び孔形状が異なるものとなっている。すなわち４つの通気孔（１１Ｄ）はそれぞれ、固定板（１１）の厚さ方向下半部においては、２つの円弧線が対向してなる略「木の葉」形状の重なり領域（１１ＤＡ）（図３、図４におけるドット領域）からなり、固定板（１１）の厚さ方向上半部においては、前記重なり領域（１１ＤＡ）を含む真円形状（図３（ａ）、図４（ａ））の円形領域からなる。各重なり領域（１１ＤＡ）と各円形領域とは厚さ方向に連通しており、下半部から上半部へ向かって通気孔（１１Ｄ）の断面が拡大した拡大断面孔となっている。
【００２５】
通気孔（１１Ｄ）がこのような拡大断面孔からなることで、シリンダヘッド（２１）の周囲から噴出させる圧搾空気の噴出流域を確実に確保することができる。
【００２６】
本発明に係るエアバルブ（１００）においては、前記シリンダ（１）の周囲の一部には多角形柱の部分側面からなる嵌合部（１４）が形成されることが好ましい。
【００２７】
上記の構成によれば、シリンダ（１）の円柱側面の一部に、多角形柱の部分側面からなる嵌合部（１４）を設けることで、シリンダ（１）を予め埋め込むための、成形金型の埋め込み部分（図６〜図９参照）において、曲面嵌合と平面嵌合とを組み合わせた埋め込み構造をなす。具体的には、成形金型の埋め込み部に、シリンダ（１）の円柱形状に対応した埋め込み穴を形成すると共に、その穴側面の一部分に、当該嵌合部（１４）の部分側面に対応した嵌合側面を設けることで、シリンダ（１）を不要に回転させることなく埋め込み穴内に埋め込み固定することができる。
【００２８】
なお、本発明に係るエアバルブ（１００）において、前記シリンダ（１）は所定の筒外径（Ｄ１）及び筒内径（Ｄ２）の略円筒体からなり、前記ノックピン（３）のピン長さ（３Ｌ）は、前記筒内径（Ｄ２）よりも長く且つ筒外径（Ｄ１）よりも短く設定されることが好ましい。
【００２９】
上記の構成によれば、ノックピン（３）のピン長さ（３Ｌ）は、筒内径（Ｄ２）よりも長いため、確実にピストン（２）の往動方向を規制することができる。また、ノックピン（３）のピン長さ（３Ｌ）は、筒外径（Ｄ１）よりも短いため、ノックピン（３）がシリンダ（１）の外周面（貫通孔端）から突出することがない。このため、ノックピン（３）の貫通孔内の貫通孔方向の位置（図５の左右方向の位置）に関わらず、シリンダ（１００）が確実に抜け止め機能を発揮する。また、シリンダ（１００）の繰り返し使用によるノックピン（３）の突出事故を防ぎ、エアバルブの使用耐久性を確保することができる。
【００３０】
本発明に係るエアバルブ（１００）において、前記ノックピン（３）は交換可能に設けられることが好ましい。
【００３１】
上記の構成によれば、ピストン（２）の往動方向を規制することによる負荷が掛かるノックピンが破損しても交換することができるので、容易に修理することができる。このため、合成樹脂成型用金型のダウンタイムを最小限とすることができる。
【発明の効果】
【００３２】
本発明によれば、ネジゆるみによる故障がなく耐久性に優れるエアバルブを提供することができるものとなった。
【図面の簡単な説明】
【００３３】
【図１】本発明の実施例に係るエアバルブの分解斜視図である。
【図２】エアバルブの側面図であり、（ａ）はピストンヘッドが収容された収容状態（Ｓ１）、（ｂ）はピストンヘッドが突出（浮上）した突出状態（Ｓ２）を示す図である。
【図３】（ａ）はエアバルブの平面図であり、（ｂ）はエアバルブの底面図である。
【図４】（ａ）はシリンダの平面図であり、（ｂ）はシリンダの底面図である
【図５】エアバルブが中空ボルトに接続された断面図であり、（ａ）は図２（ａ）のＡ−Ａにおけるピストンヘッドが収容された状態の断面図、（ｂ）は図２（ｂ）のＡ’−Ａ’におけるピストンヘッドが突出（浮上）した状態を示す断面図である。
【図６】実施例に係るエアバルブを用いた射出成型後の合成樹脂材の遊離工程を示す図である。
【図７】実施例に係るエアバルブを用いた射出成型後の合成樹脂材の遊離工程を示す図である。
【図８】実施例に係るエアバルブを用いた射出成型後の合成樹脂材の遊離工程を示す図である。
【図９】実施例に係るエアバルブを用いた射出成型後の合成樹脂材の遊離工程を示す図である。
【図１０】従来のエアバルブの側面図であり、（ａ）はピストンロッドが収容された収容状態、（ｂ）はピストンロッドが突出（浮上）した突出状態を示す図である。
【発明を実施するための形態】
【００３４】
以下、本発明に係るエアバルブの実施例について図１〜図９を参照して説明する。なお、以下において構成名称又は状態名称の後ろに続けて示す数字列、または数字及びアルファベットの組み合わせ列は、相当する各図面の構成箇所ないしそれらの状態位置を示した参照用符号である。同参照用符号は実施例の理解のために便宜的に付したものであり、これによって構成ないし状態を限定したり特定したりするものではない。
【００３５】
初めに、本発明の実施例に係るエアバルブの構成を図１〜図５を参照して説明する。実施例に係るエアバルブは、金型外部に連通する空気路と連通して、金型内に予め埋め込み設置されるものであり、下端内部から圧搾空気を吹き込むことでエアバルブを作動させ、金型表面に密着している射出成型後の成型樹脂製品の所定箇所を押し出すことによって、金型と合成樹脂材とを遊離させるために使用されるものである。
【００３６】
実施例に係るエアバルブ１００は、図１、図２及び図５に示すように、筒体からなるシリンダ１と、このシリンダ１に取り付けられるピストン２とを具備する。シリンダ１は、所定の軸孔方向の軸孔１０と、軸孔１０の一端側に連通すると共に拡径した開口部１１０とを有する。また、シリンダ１の軸孔１０は、下端側に圧搾空気を供給するための中空ロッドを螺合するための螺合部１０Ｓが設けられており、この螺合部１０Ｓ上に弾性材１４を収容するための空間１０Ｃが設けられている。ピストン２は、シリンダ１の開口部１１０の開口形状に対応したピストンヘッド２１と、このピストンヘッド２１の下部から伸長したピストンロッド２２とを有する。なお、本実施例では、ピストンヘッド２１とピストンロッド２２とは同一部材で一体的に形成されている。
【００３７】
また、実施例に係るエアバルブ１００は、ピストンヘッド２１及びピストンロッド２２が、それぞれシリンダ１の開口部１１０内及び軸孔１０内に収容されており、ピストン２が、シリンダ１の軸孔方向へ往動可能に組み込まれている。また、ピストンヘッド２１の外周面（側面）は、断面形状が、上部から下部へと向かうに従い外径が狭くなるテーパ部２１Ｔを有しており、ピストン２が収容されるシリンダ１の上部には、外周近傍が上部に突出したリブ１１Ｔが設けられている。そして、ピストン２がシリンダ１に収容される際には、ピストンヘッド２１がシリンダ１上部の外周近傍に設けられたテーパ状のリブ１１Ｔにテーパ部１１Ｔが当接するようにして収容される。また、シリンダ１及びピストンロッド２２には、シリンダ１の軸孔１０内に組み込まれたピストンロッド２２をシリンダ１と共に側方へ一軸横断する貫通孔が形成される。この貫通孔は、ピストンロッド２２の軸中心を通って側方へ横断貫通する、真円断面の内貫通孔２３と、シリンダ１の筒体中心を通って筒側部の２箇所の軸対称位置を横断貫通する、長孔断面の外貫通孔１３とから構成される。
前記内貫通孔２３の真円断面はノックピン３に周着し、また、前記外貫通孔の長孔断面はノックピン３を遊挿する。
【００３８】
また、実施例に係るエアバルブ１００においては、前記貫通孔の少なくとも一部分が、シリンダ１の軸孔１０の軸孔方向を長孔方向とする長孔断面を有してなり、さらに、前記貫通孔内に挿入して設置されるノックピン３をさらに具備してなる。このノックピン３はピストンロッド２２とシリンダ１とをまとめて貫通するように設置された閂部材からなり、ピストン２のシリンダ１からの脱落を防止する、いわゆる抜け止め機能を果たす（図１、図５参照）。具体的には、ノックピン３の軸方向中央部は貫通孔の一部分である内貫通孔２３に密着して挿入され、ピストンロッド２２と一体的に構成される。また、ノックピン３の軸方向両端部は貫通孔の他の一部分である外貫通孔１３に遊挿され、外貫通孔１３の長孔断面内を遊動し、長孔方向に相対移動可能となっている（図２、図５）。なお、ノックピン３の両端はテーパ部３Ｔが設けられ、ピン端部の過度な応力集中の発生を抑えるものとなっている。
【００３９】
ピストン２の収容状態Ｓ１ではノックピン３は貫通孔の一部分である外貫通孔１３の長孔断面内の略中央に位置する（図２（ａ））。このときノックピン３は上側部にワッシャ５の下面５ＬＥが圧接されるのみで、外貫通孔１３の長孔上端１３ＵＥ，長孔下端１３ＬＥのいずれにも接していない（図２（ａ）、図５（ａ））。これは、ノックピン３のシリンダロッド２２への接触挿入位置によるものであり、シリンダ２の収容状態Ｓ１ではノックピン３が長孔下端１３ＬＥに接触しないように内貫通孔２３を配置することで、ノックピンの接触摩耗を防ぐものとしている。
【００４０】
収容状態Ｓ１（図２（ａ）、図５（ａ））にあるエアバルブ１００の軸孔１０内下部から上方へ圧搾空気が封入されることで、エアバルブ１００は突出状態Ｓ２へと状態遷移する（図２（ｂ）、図５（ｂ））。その直後、弾性材４の弾性復帰力によって、再び突出状態Ｓ２から収容状態Ｓ１へ状態遷移する。収容状態Ｓ１から突出状態Ｓ２へ状態遷移する際、又は突出状態Ｓ２から収容状態Ｓ１へ状態遷移する際、前記ピストン（２）が前記シリンダ（１）内を往動し、前記内貫通孔（２３）に周着されたノックピン（３）がピストンロッド（２２）と共に軸孔方向へ一体的に往動する。これによってノックピン（３）の両端が外貫通孔（１３）内を長孔幅方向へ相対移動する（図２、図５）。
ピストン２がシリンダ１内を上方へ突出移動した突出状態Ｓ２では、ノックピン３は横軸方向を向いたまま、前記貫通孔の一部分内で長孔方向上方へ相対移動し、一方の長孔端である長孔上端１３ＵＥに掛止する（図２、図５）。このときノックピン３は上側部にワッシャ５の下面５ＬＥが圧接されると共に、外貫通孔１３の長孔上端１３ＵＥと接している。すなわち外貫通孔１３の長孔上端１３ＵＥとの接触によってそれ以上の上方移動が規制される。
【００４１】
前記収容状態Ｓ１と突出状態Ｓ２の繰り返し状態遷移によってノックピン３が受ける変動外力は、ピン両端部分の上側部が受ける外貫通孔１３の長孔上端１３ＵＥへの接触外力のみとなっており、閂状態のまま軸対称位置で外力を均等に受けるため、耐久性に優れるものとなっている。
【００４２】
本実施例のエアバルブ１００は全体が閂構造による比較的簡易な組み構造からなるため、設置されていたノックピン３を貫通孔の孔端から押し出すことで、貫通孔からノックピン３を取り外し、バルブの構成を図１に示す各部品へと容易に分解することができる。また、組み立て前ないし分解後には、弾性体４を収容してワッシャ５を上方へ押し上げた状態のまま側方からノックピン３を貫通孔内に挿入することで、容易に組み立てることができる。
これにより、ピストンヘッド２やシリンダ１１の上端面に表面加工を施す場合や、弾性疲労が生じた弾性材４などの各部品を交換する場合など、必要に応じて、分解した一部の部品を別部品に組み替えたり、表面加工／分解後に再組立てしたりすることができる。
【００４３】
或いは、エアバルブ１００の組み立て状態のまま、別に用意した交換用のノックピン３を貫通孔の孔端から内貫通孔２３内に押し込み、設置されていた使用済みのノックピン３を押し出すことで、内貫通孔２３からノックピン３を新たなものに容易に交換することができる。
【００４４】
ここで、前記貫通孔は、ピストンロッド２２の下端近傍を横断貫通する一つの内貫通孔２３と、内貫通孔２３の両端に位置してシリンダ１の筒側部のうち互いに軸対称位置にある２箇所を横断貫通する２つの外貫通孔１３とから構成され、これらがシリンダ１を側方貫通する孔経路で一軸上に配置されている。また、ピストン２の内貫通孔２３と、シリンダ１の外貫通孔１３のうちいずれか一方が、ノックピン３のピン径Ｄ３よりも大きい長孔幅の長孔断面を有している。
【００４５】
本実施例では、シリンダ１の外貫通孔１３がその全孔長に亘って、ノックピン３を遊挿する長孔断面からなり、また、ピストン２の内貫通孔２３が全孔長に亘って、ノックピン３の全周に周着する真円孔断面からなる。この場合、ピストン２が最も突出した突出状態Ｓ２で、ノックピン３が外貫通孔１３の長孔上端１３ＬＥに掛止する（図２（ｂ））。
【００４６】
なお他の構造として、ピストン２の内貫通孔２３が長孔断面からなり、シリンダ１の外貫通孔１３が真円孔断面からなるものとしてもよい（図示せず）。この場合、ピストン２が最も突出した突出状態Ｓ２で、ノックピン３が内貫通孔２３の長孔下端３ＬＥに掛止するものとなる。
【００４７】
そして、エアバルブ１００の作動時には、ノックピン３が長孔断面内を片側の孔端から反対側の孔端まで移動することで、図２及び図５に示すように、ピストン２がシリンダ１に収容された収容状態Ｓ１から、ピストン２がシリンダ１から突出した突出状態Ｓ１に状態変移する。突出状態Ｓ２では、ノックピン３が長孔の片側の孔端に掛止することで、ピストン２の脱落が防止されると共に、それ以上のピストン２の移動が規制される。具体的には、ピストン２の突出量２ＰＬが、シリンダ１の外貫通孔１３の長径と、ノックピン３の外径Ｄ３との差によって規制される。
【００４８】
実施例に係るエアバルブ１００は、シリンダ１の内部で、かつ、ピストンヘッド２１の下部とノックピン３の上側部との間に、ピストン２をシリンダ１の他端側（下方）へ弾性付勢する弾性材４をさらに具備している。本実施例の弾性材４は軸孔１０内に収容されるコイルスプリングからなり、シリンダロッド２２の周りに巻回するように配置収容されることで、圧搾空気の流通のための隙間を有した構造となっている。この他、ピストン２をシリンダ１の他端側（下方）へ弾性付勢できるものであれば他の弾性材であってもよい。そして、ピストン２は弾性材４によってシリンダ１内に収容された収容状態Ｓ１を保持し、この収容状態Ｓ１において、ピストンヘッド２１が開口部１１０内に嵌着して、ピストンヘッド２１の端面がシリンダ１の筒体の一端面と同一面を構成している。
【００４９】
また、実施例に係るエアバルブ１００は、シリンダ１内部であって軸孔１０の上部付近に、ピストンロッド２２を挿通し得る中央孔１１２を有した固定板１１が固定されている。また、シリンダ１内部で固定板１１の下方、かつノックピン３の側上部には、ピストンロッド２２を挿通し得る中央孔５０を有したワッシャ５が、シリンダ１の軸孔１０内を移動可能に収容されている。
【００５０】
そして、ピストンロッド２２が固定板１１の中央孔１１２とワッシャ５の中央孔５０のそれぞれに挿入されて、ピストン２がシリンダ１内に組み込まれ、この組み込まれた状態で、固定板１１とワッシャ５によって弾性材４が軸孔１０内に挟設されるとともに、ワッシャ５の下面によってノックピン３の上側面が弾性付勢される。
【００５１】
実施例に係るエアバルブ１００では、固定板１１がシリンダ１の開口部１１０の底板を構成しており、固定板１１の中央孔１１２の周囲には、固定板１１を厚さ方向に貫通する複数の通気孔１１Ｄが設けられている。この通気孔１１Ｄは、図３（ａ）、図４（ａ）に示すように、シリンダ１の開口部１１０と少なくとも一部が、略木の葉形状の重なり領域１１ＤＡを有している。また、図３に示すように、ワッシャ５の中央孔５０の周囲のワッシャ面には、ワッシャ５を厚さ方向に貫通する、真円形状の複数の通気孔５１が設けられている。そして、固定板１１の通気孔１１Ｄと、ワッシャ５の通気孔５１とは同数であり、平面視の孔断面面積は通気孔５１よりも通気孔１１Ｄのほうが大きくなっており、さらに通気孔１１Ｄは固定板１１の厚さ方向下部から上部に向けて孔断面が段階的に大きくなるよう面積変化してなる。これにより、下部から吹き込まれた圧搾空気が、ワッシャ５の通気孔５１から中央孔１０の周部を通って通気孔１１Ｄに連通するまで、相当の流量で流通する。これにより、ピストンヘッド２１の周囲から上方への圧搾空気の噴出量を確保することができる。
【００５２】
また、本実施例に係るエアバルブ１００は、シリンダ１の下端部の外周面（周囲）の一部に多角形柱の部分側面（中央側面１４Ｆ及びその両側の隣接側面１４ＦＣ）からなる嵌合部１４が形成されている。この嵌合部１４は、シリンダ１の下端部の外周面の一部を切り欠くようにして形成されており、このため、シリンダ１の下端部には底面１４Ｄを有する窪みが形成される。
【００５３】
一方、エアバルブ１００を埋め込み固定する下金型７１（金型）には、シリンダ１の外形状に合わせた円形の埋め込み穴７Ｈが形成される。但し、埋め込み穴７Ｈの底部付近の一側部には、エアバルブ１００下部の多角形柱の中央側面１４Ｆに対応した中央嵌合側面７ＨＦが段状突設されている（図３（ｂ））。この中央嵌合側面７ＨＦがエアバルブ１００下部の多角形柱の中央側面１４Ｆと面接触して嵌合することで、エアバルブ１００が金型（下金型７１）内に回転不能に埋め込まれる。
【００５４】
なお、実施例では中央嵌合側面７ＨＦの両側の隣接部には湾曲側面１４ＦＳを形成しており、この湾曲側面１４ＦＳは埋め込み状態のシリンダ１の隣接側面１４ＦＣと接触することなく逃げ空間を形成している（図３（ｂ））。これにより、埋め込み穴７Ｈの加工を容易なものとし、中央嵌合側面７ＨＦの加工精度を確保することができる。また、本発明のエアバルブ１００の、埋め込み穴７Ｈ内への埋め込み設置作業や、埋め込み設置後の取り外しの作業が簡易なものとなる。
【００５５】
本実施例に係るエアバルブ１００は、図５に示すように、シリンダ１は所定の筒外径Ｄ１及び筒内径Ｄ２の略円筒体からなり、ノックピン３のピン長さ３Ｌは、筒内径Ｄ２よりも長く且つ筒外径Ｄ１よりも短く設定されている。また、本実施例に係るエアバルブ１００は、ノックピン３が交換可能に設けられている。
【００５６】
次に、本実施例に係るエアバルブ１００を用いた射出成型後の合成樹脂材（製品）の遊離工程について、図６〜図９を参照して説明する。
【００５７】
初めに、本実施例に係るエアバルブ１００が装着された射出成型装置の構成について説明する。射出成型装置は、上金型８と下金型７とを具備し、下金型７は、第１下金型７１と第２下金型７２とを備える。また、上金型８および下金型７（第１下金型７１）には、嵌合溝内に本発明の実施例に係るエアバルブ１００が中空ボルト６とともに装着されている。
【００５８】
また、上金型８には、中空ボルト６の軸孔６０および通気路８２０に連通する空間部８０が設けられ、この空間部８０および中空ボルト６の軸孔６０を介して、通気路８２０からの圧搾空気（高圧気体）をエアバルブ１００へと供給できるように構成されている。また、下金型７には、中空ボルト６の軸孔６０および通気路７２０に連通する空間部７０が設けられ、この空間部７０および中空ボルト６の軸孔６０を介して、通気路７２０からの圧搾空気（高圧気体）をエアバルブ１００へと供給できるように構成されている。
【００５９】
さらに、上金型８および第１下金型７１とは、図示しない駆動機構により、紙面上下方向に駆動可能に構成されている。
【００６０】
次に、射出成型後の合成樹脂材の遊離工程について説明する。
【００６１】
図６は、上金型８と、下金型７との隙間に溶融状態の合成樹脂材を注入し、成型樹脂製品Ｆを成型した後の断面図である。
【００６２】
次に、合成樹脂材が冷却後、図示しない駆動機構により上金型８の上昇を開始すると共に、通気路８２０から圧搾空気を送り込み、空間部８０および中空ボルト６の軸孔６０を介して、圧搾空気（高圧気体）を上金型８に装着されたエアバルブ１００へと供給する。
【００６３】
すると、供給された圧搾空気によりエアバルブ１００のピストン２が突出量２ＰＬだけ突出し、上金型８に密着している成型樹脂製品Ｆが上金型８から遊離する。そして、開口部１１０からピストンヘッド２１の周囲に沿って圧搾空気を斜め上方へ放射噴出させながら、上金型８を上昇駆動させることで、図７に示すように、成型樹脂製品Ｆと上金型８とが遊離した状態となる。なお、エアバルブ１００に圧搾空気を供給した後、上金型８の上昇を開始してもよい。
【００６４】
そのまま、上金型８を上昇駆動させて、図８に示すように、成型樹脂製品Ｆと上金型８とを完全に遊離した状態とさせる。
【００６５】
次に、図示しない駆動機構により第２下金型７２の上昇を開始すると共に、通気路７２０から圧搾空気を送り込み、空間部７０および中空ボルト６の軸孔６０を介して、圧搾空気（高圧気体）を下金型７に装着されたエアバルブ１００へと供給する。
【００６６】
すると、供給された圧搾空気によりエアバルブ１００のピストン２が突出量２ＰＬだけ突出し、第１下金型７１に密着している成型樹脂製品Ｆが第１下金型７１から遊離する。そして、開口部１１０からピストンヘッド２１の周囲に沿って圧搾空気を斜め上方へ放射噴出させながら、第２下金型７２を上昇駆動させることで、図９に示すように、成型樹脂製品Ｆと第１下金型７１とが遊離した状態となる。なお、エアバルブ１００に圧搾空気を供給した後、第２下金型７２の上昇を開始してもよい。
【００６７】
以上のように、本実施例に係るエアバルブは、ノックピン３が長孔断面内を移動することで、ピストン２の往動方向が規制されると共に、ピストン２がシリンダ１から抜けるのを防止する抜け止めの機能を果たす。また、ノックピン３の側方挿入によって閂式の抜け止め構造をなすため、耐久性に優れる。特に、ねじ込み式の抜け止め構造や、かしめ式の抜け止め構造と比較して、繰り返し使用による影響（ネジゆるみや再変形による事故）が少ない利点を有する。
【００６８】
また、本実施例に係るエアバルブは、ピストンヘッド２１とピストンロッド２２とは同一部材で一体的に形成されてなる。ピストンヘッド２１とピストンロッド２２とを同一部材で一体的に形成することで、ピストン２の往動に対して耐久性に優れたものとなり、繰り返し使用による影響（ネジゆるみや再変形等）を抑制することができる。
【００６９】
また、本実施例に係るエアバルブは、弾性材４によって、シリンダ１内に組み込まれた状態のピストン２が常時下方向へ弾性付勢され、収容状態を保持する。動作時には、この弾性付勢力よりも大きい力でピストン２が加圧されて、弾性付勢方向と逆方向へピストンヘッド２１が押し出され、突出状態Ｓ２となり、金型に密着している加熱成型後の成型樹脂製品Ｆが遊離する。
【００７０】
また、本実施例に係るエアバルブは、組込み状態では、固定板１１及びワッシャ５が、それぞれ弾性材４の上端及び下端に当接する。このとき、ワッシャ５は下方へ常時弾性付勢された状態であり、かつ、ノックピン３の上側面に接触した状態となっている。なお、実施例では、弾性材４は軸孔１０内に収容可能な外径で巻回されたコイルスプリングからなり、シリンダロッド２２の周囲に遊装され、かつ軸孔１０方向に弾性圧縮された状態で固定板１１及びワッシャ５に挟設される。このため、圧搾空気の通気路が軸孔方向に沿って形成されることとなる。これによって、軸孔下端から圧入された圧搾空気が通気路の先の通気孔１１Ｄを通じてピストンヘッド２１の下面に直接衝撃圧を加えることができる。これにより、エアバルブが確実に作動することとなる。
【００７１】
また、本実施例に係るエアバルブは、シリンダ１の周囲の一部には多角形柱の部分側面からなる嵌合部１４を設けることでシリンダ１が回転することなく固定される。
【００７２】
また、本実施例に係るエアバルブは、ノックピン３のピン長さ３Ｌは、筒内径Ｄ２よりも長いため、確実にピストン２の往動方向を規制することができる。また、ノックピン３のピン長さ３Ｌは、筒外径Ｄ１よりも短いため、ノックピン３がシリンダ１の外周面から突出することがない。このため、エアバルブをコンパクトに設計することができる。
【００７３】
また、本実施例に係るエアバルブは、ピストン２の往動方向を規制することによる負荷が掛かるノックピンが破損しても交換することができるので、容易に修理することができる。このため、合成樹脂成型用金型のダウンタイムを最小限とすることができる。
【００７４】
（その他の実施例）
本発明のいくつかの実施例を説明したが、各実施例に示した構成、各種条件に限定されることはなく、これらの実施例は、例として提示したものであり、発明の範囲を限定することは意図していない。これら新規な実施例は、その他の様々な形態で実施されることが可能であり、発明の要旨を逸脱しない範囲で、種々の省略、置き換え、変更を行うことができる。これら実施例やその変形は、発明の範囲や要旨に含まれるとともに、特許請求の範囲に記載された発明とその均等の範囲に含まれる。
【符号の説明】
【００７５】
１０  軸孔
１  シリンダ
１１  固定板
１１Ｄ  通気孔
１１Ｔ  リブ
１３  外貫通孔
１４  嵌合部
１００  エアバルブ
１１０  開口部
１１２  中央孔
２  ピストン
２１  ピストンヘッド
２１Ｔ  テーパ部
２２  ピストンロッド
２３  内貫通孔
３  ノックピン
４  弾性材
５  ワッシャ
５０  中央孔
５１  通気孔
６  中空ボルト
６０  軸孔
Ｄ１  筒外径
Ｄ２  筒内径
３Ｌ  ノックピン長さ
Ｓ１  収容状態
Ｓ２  突出状態
【図１】
2018179071.tif 000003
【図２】
2018179071.tif 000004
【図３】
2018179071.tif 000005
【図４】
2018179071.tif 000006
【図５】
2018179071.tif 000007
【図６】
2018179071.tif 000008
【図７】
2018179071.tif 000009
【図８】
2018179071.tif 000010
【図９】
2018179071.tif 000011
【図１０】
2018179071.tif 000012
【手続補正書】
【提出日】平成30年8月13日(2018.8.13)
【手続補正１】
【補正対象書類名】特許請求の範囲
【補正対象項目名】全文
【補正方法】変更
【補正の内容】
【特許請求の範囲】
【請求項１】
所定の軸孔方向の軸孔、及び、前記軸孔の一端側に連通すると共に拡径した開口部を有するシリンダと、前記開口部の開口形状に対応したピストンヘッド、及び、前記ピストンヘッドの下部から伸長したピストンロッドを有するピストンと、を具備し、
前記ピストンヘッド及び前記ピストンロッドが、それぞれ前記開口部内及び前記軸孔内に収容されて、前記ピストンが、シリンダの軸孔方向へ往動可能に組み込まれたエアバルブであって、
前記シリンダ及び前記ピストンロッドには、前記シリンダの軸孔内に組み込まれた前記ピストンロッドを前記シリンダと共に側方へ横断する貫通孔が形成され、
また、前記貫通孔内に挿入されるノックピンをさらに具備してなり、
前記貫通孔の少なくとも一部分は、前記軸孔の軸孔方向を長孔方向とすると共に、両側縁を直線状としかつ上下端を半円状とした長孔断面を有し、
前記ピストンが前記シリンダ内を往動したとき、前記ノックピンが貫通孔の前記一部分内で前記両側縁に沿って長孔方向へ相対移動して前記上下端のいずれかの孔端に係止することで、所定の突出量以上のピストンの移動及び回転が規制されることを特徴とするエアバルブ。
【請求項２】
前記貫通孔は、ピストンロッドを貫通する内貫通孔と、シリンダを側方へ横断貫通する外貫通孔とから構成され、
前記ピストンが前記シリンダ内を往動して突出したとき、前記内貫通孔に周着されたままノックピンがピストンロッドと共に軸孔方向へ往動することで、ノックピンの両端が外貫通孔内を長孔方向へ相対移動するものであり、
ピストンの突出量は、前記外貫通孔の長孔方向の長径とノックピンの所定外径との差によって規定される、請求項１記載のエアバルブ。
【請求項３】
前記シリンダの内部であって、前記ピストンヘッドの下部と前記ノックピンの上側部との間に、前記ピストンを前記軸孔方向へ弾性付勢する弾性材と、
前記弾性材の下端に当接するワッシャと、をさらに具備し、
前記ピストンは前記弾性材の弾性付勢によって前記シリンダ内に収容され、下方へ常時弾性付勢された収容状態となり、
この収容状態において、ピストンヘッドが開口部内に嵌着して、前記ピストンヘッドの端面が前記シリンダの片端面と同一面を構成すると共に、
前記ワッシャが下方へ常時弾性付勢された状態であり、かつ、ノックピンの上側面に接触した状態となっている、
請求項２記載のエアバルブ。
【請求項４】
前記シリンダ内部であって前記軸孔の上部付近には、前記ピストンロッドを挿通し得る中央孔を有した固定板が固定され、
また、前記シリンダ内部であって前記固定板の下方には、前記ピストンロッドを挿通し得る中央孔を有したワッシャが前記軸孔方向へ移動可能に収容され、
前記ピストンロッドが前記固定板の中央孔と前記ワッシャの中央孔のそれぞれに挿入されて、前記ピストンが前記シリンダ内に組み込まれ、
この組み込まれた状態で、前記固定板と前記ワッシャによって前記弾性材を前記軸孔内に挟設すると共に、前記弾性材によってピストンロッドを軸孔方向に弾性付勢してなる、請求項３記載のエアバルブ。
【請求項５】
前記固定板は開口部の底板を構成するものであり、
前記固定板の中央孔の周囲には、固定板を厚さ方向に貫通する一または複数の通気孔が設けられ、
また、前記ワッシャの中央孔の周囲には、前記ワッシャを厚さ方向に貫通する一または複数の通気孔が設けられる、請求項４記載のエアバルブ。
【請求項６】
前記シリンダの周囲の一部には多角形柱の部分側面からなる嵌合部が形成される、請求項１ないし５のいずれか記載のエアバルブ。
【請求項７】
前記軸孔は内螺子を有してなり、この内螺子は、金型の成形面の開口部内にて成形面方向を向いて設けられた中空ボルトに螺合するものであり、
軸孔の前記内螺子を前記中空ボルトから螺合解除することでエアバルブを金型の成形面側に取り外し可能とすると共に、
エアバルブを金型の成形面側に取り外した状態で、前記ノックピンが交換可能に設けられる、請求項１ないし６のいずれか記載のエアバルブ。